(57)【要約】【課題】所定の数の収容物を確実に、好ましくは１個ずつ片手で選択的に取り出することができるタブレットケースの提供を目的とする。【解決手段】タブレットケース１は、タブレット状の収容物を収容する収容体２と、収容体２に対して相対的にスライド移動可能な蓋体２０と、収容体２と蓋体２０とに設けられ、蓋体２０を収容体２に対して開方向にスライドした際、蓋体の開放位置を段階的に規制する開放位置段階規制手段と、収容体２に設けられ、蓋体がスライドして前記開放位置段階規制手段によって開放位置が規制された際にその開放部分において収容物の存在を許容する取り出し開口領域８を形成する仕切り９と、前記開放位置段階規制手段と協働し、前記開放位置段階規制手段による規制によって選択された開放位置で、その選択された開放位置に対応する個数の収容物の取り出しを取り出し開口領域８において可能にする取り出し個数選択手段１２ａとを備える。【選択図】図１
2010143610.tif 000002
【特許請求の範囲】
【請求項１】
タブレット状の収容物を収容する収容体と、
前記収容体に対して相対的にスライド移動可能な蓋体と、
前記収容体と蓋体とに設けられ、蓋体を収容体に対して開方向にスライドした際、蓋体の開放位置を段階的に規制する開放位置段階規制手段と、
前記収容体に設けられ、前記蓋体がスライドして前記開放位置段階規制手段によって開放位置が規制された際にその開放部分において収容物の存在を許容する取り出し開口領域を形成する仕切りと、
前記開放位置段階規制手段と協働し、前記開放位置段階規制手段による規制によって選択された開放位置で、その選択された開放位置に対応する個数の収容物の取り出しを前記取り出し開口領域において可能にする取り出し個数選択手段と、
を有することを特徴とするタブレットケース。
【請求項２】
前記取り出し個数選択手段は、段階的に規制されるそれぞれの開放位置で収容物を個別に保持して待機させる待機保持部を有することを特徴とする請求項１に記載のタブレットケース。
【請求項３】
前記開放位置段階規制手段は、前記蓋体のスライド開放を第１の開放位置と第２の開放位置とに２段階で規制し、前記取り出し個数選択手段は、前記第１の開放位置で１個の収容物の取り出しを可能にするとともに、前記第２の開放位置で２個の収容物の取り出しを可能にすることを特徴とする請求項２に記載のタブレットケース。
【請求項４】
前記待機保持部は、前記第１の開放位置および第２の開放位置でそれぞれ収容物を１個ずつ保持することを特徴とする請求項３に記載のタブレットケース。
【請求項５】
前記収容体は、前記取り出し個数選択手段に向けて収容物を案内する案内部を有することを特徴とする請求項１ないし請求項４のいずれか１項に記載のタブレットケース。
【発明の詳細な説明】
【技術分野】
【０００１】
本発明は、タブレット状の薬品、栄養補助食品、菓子等を収容するタブレットケースに関する。
【背景技術】
【０００２】
従来、上記したようなタブレット状の収容物を収容するタブレットケースに類似するケースとしては、特許文献１に開示されるカード型ケースが知られている。この公知のケースは上蓋部と下蓋部とから成り、収容物を取り出すための開口部がケースの側壁の一部に設けられている。また、前記開口部には、これを閉塞するためのキャップがヒンジ機構によって回動自在に設けられており、前記キャップを回動させて開口部を開放させることにより、ケースを傾けたり振ったりすることで前記開口部から収容物を取り出せるようになっている。
【特許文献１】実用新案登録第３１３９７４４号
【発明の開示】
【発明が解決しようとする課題】
【０００３】
しかしながら、上記したような公知のケースでは、ケースを一方の手で把持した状態でキャップを他方の手で開ける必要があり、収容物を開口部から取り出すために両方の手を必要とする。また、上記したケースでは、所定数の収容物を受けるポケット部がキャップに設けられているため、開口部からその所定の数の収容物が一度に出てしまい、収容物を１つずつ取り出すことができない。また、ポケット部を設けることによって所定数の収容物を取り出す構成となっていても、実際の取り出し操作時には、開口部からそれ以上の数の収容物が飛び出てしまうことが多く、使用者は、飛び出した収容物を再びケースに戻す操作をしなければならず、取り扱い性に劣ってしまう。
【０００４】
本発明は、前記事情に着目してなされたものであり、その目的とするところは、所定の数の収容物を確実に、好ましくは１個ずつ片手で選択的に取り出することができるタブレットケースを提供することである。
【課題を解決するための手段】
【０００５】
上記した目的を達成するために、請求項１に係るタブレットケースは、タブレット状の収容物を収容する収容体と、前記収容体に対して相対的にスライド移動可能な蓋体と、前記収容体と蓋体とに設けられ、蓋体を収容体に対して開方向にスライドした際、蓋体の開放位置を段階的に規制する開放位置段階規制手段と、前記収容体に設けられ、前記蓋体がスライドして前記開放位置段階規制手段によって開放位置が規制された際にその開放部分において収容物の存在を許容する取り出し開口領域を形成する仕切りと、前記開放位置段階規制手段と協働し、前記開放位置段階規制手段による規制によって選択された開放位置で、その選択された開放位置に対応する個数の収容物の取り出しを前記取り出し開口領域において可能にする取り出し個数選択手段とを有することを特徴とする。
【０００６】
上記したタブレットケースによれば、収容物を取り出すべく、蓋体を収容体に対して開方向にスライド移動し、開放位置段階規制手段による所定の開放位置で停止させた際、取り出し開口領域には、取り出し個数選択手段によってその開放位置に対応する個数の収容物を位置させておくことが可能となる。つまり、開放位置段階規制手段およびこれと協働する取り出し個数選択手段により、蓋体の段階的なスライドで、取り出し個数を選択できるため、例えば収容物が薬品の場合には、その薬品に応じた服用個数を一度に正確に取り出すことができ、取り扱い性に優れる。また、取り出し操作時において、取り出し開口領域に移動する収容物を、前記取り出し個数選択手段によって所定の数に制限することが可能となるため、所定の数の収容物を確実に取り出することができる。したがって、収容体を傾けたり、振ったりした際、所定数を超える数の収容物が一度に飛び出ることを防止することが可能となる。また、収容体に対して蓋体を相対的にスライドさせるだけで収容物を取り出せる構成となっているため、片手の２本の指で取り出し操作を行なうことが可能になり、操作性に優れる。
【０００７】
また、請求項２に係るタブレットケースは、前記取り出し個数選択手段が、段階的に規制されるそれぞれの開放位置で収容物を個別に保持して待機させる待機保持部を有することを特徴とする。
【０００８】
この構成によれば、取り出し個数選択手段による収容物の取り出し個数を正確に規定することができる。
【０００９】
また、請求項３に係るタブレットケースは、前記開放位置段階規制手段が、前記蓋体のスライド開放を第１の開放位置と第２の開放位置とに２段階で規制し、前記取り出し個数選択手段が、前記第１の開放位置で１個の収容物の取り出しを可能にするとともに、前記第２の開放位置で２個の収容物の取り出しを可能にすることを特徴とする。
【００１０】
この構成によれば、取り出し個数を１個または２個のいずれかで選択することができ、例えば医薬品の一般的な服用個数に適合させることができる。
【００１１】
また、請求項４に係るタブレットケースは、前記待機保持部が、前記第１の開放位置および第２の開放位置でそれぞれ収容物を１個ずつ保持することを特徴とする。
【００１２】
この構成によれば、１個または２個の取り出し個数を２つの開放位置によって選択できるため便利である。
【００１３】
また、請求項５に係るタブレットケースは、前記収容体が、前記取り出し個数選択手段に向けて収容物を案内する案内部を有することを特徴とする。
【００１４】
この構成によれば、収容体内の収容物を確実に取り出し個数選択手段へと導くことができ、収容物の正確で且つ迅速な取り出しに寄与し得る。
【００１５】
なお、上記した構成では、前記待機保持部および前記案内部が、前記収容体の底面に立設されたリブから成ることが好ましい。また、前記開放位置段階規制手段は、例えば、前記開放位置に対応する所定の間隔で前記蓋体の裏面に設けられた複数の突起によって構成することが可能であり、これらの突起のそれぞれが収容体の所定の部位に個別に突き当たることによって開放位置が段階的に規制されることが好ましい。
【発明の効果】
【００１６】
本発明によれば、所定の数の収容物を確実に、好ましくは１個ずつ片手で選択的に取り出することができるタブレットケースを提供できる。
【発明を実施するための最良の形態】
【００１７】
以下、図１〜図７を参照しながら、本発明に係るタブレットケースの一実施形態について説明する。なお、これらの図において、図１は全体構成を示す斜視図、図２は収容体の構成を示す図であって、（ａ）は平面図、（ｂ）は側面図、（ｃ）は背面図、図３は蓋体の構成を示す図であって、（ａ）は裏面図、（ｂ）は側面図、（ｃ）は背面図、図４は収容体に設けられた取り出し個数選択手段付近の要部拡大図であって、（ａ）は取り出し個数選択手段に収容物が存在しない状態の図、（ｂ）は取り出し個数選択手段に収容物が存在する状態の図、図５（ａ）及び（ｂ）は、蓋体の裏面に形成される突起の形状を示す図、図６は第１の開放位置にあるタブレットケースを示す図であって、（ａ）は平面図、（ｂ）は側面図、そして、図７は第２の開放位置にあるタブレットケースを示す図であって、（ａ）は平面図、（ｂ）は側面図である。
【００１８】
特に図１に示されるように、本実施形態のタブレットケース１は、薬品、栄養補助食品、菓子等、タブレット状に構成された収容物を多数収容する収容体２と、この収容体２に対して相対的にスライド移動可能な蓋体２０とを備えている。
【００１９】
収容体２は、一対の側壁３、前後壁４，５、及び底面６によって囲まれた矩形形状の収容部２Ａを備えており、蓋体２０は、収容部２Ａを覆う天板２１と、前記一対の側壁３に対向接触してスライドする一対の側壁２２と、を備えた断面略コの字型に形成されている。これらは、いずれも合成樹脂を射出成型することによって、一体形成することが可能である。
【００２０】
収容体２の後壁５の中央には、後方側に向けて突出する突部５ａが形成されており、蓋体２０を閉じた際、その両サイドの段部５ｂに、蓋体２０の一対の側壁２２の後方屈曲部２２ｂ（図３の（ａ）参照）が位置して、面一状となり、蓋体２０の閉鎖位置が規制されるようになっている。
【００２１】
また、収容体２には、蓋体２０を開いた際、その開放部分において収容物の存在を許容する取り出し開口領域８が形成されている。この取り出し開口領域８は、本実施形態では、収容体２の収容部２Ａを構成する底面６と共に一体形成される略Ｌ字形状の仕切り９によって規定されている。具体的に、仕切り９は、それを構成する横壁９ａと縦壁９ｂとによって囲まれる領域９ｃに収容物が移動することはなく、縦壁９ｂと後述する取り出し個数選択手段を構成するガイドリブ１２ａと収容体２の前壁４とで囲まれる領域（取り出し開口領域８）に、平面視で所定数（本実施形態では、後述するように２個。しかし、３個以上であっても良い）の収容物が移動できるよう構成されている。なお、収容体２は、そのほぼ全体にわたって、収容物１個程度の高さＨに形成されており、全体として薄型（カード型）に構成されている。
【００２２】
収容体２および蓋体２０には、蓋体２０を収容体２に対して開方向にスライドした際、蓋体２０のスライド開放位置を段階的に規制する開放位置段階規制手段３０が設けられている。具体的に、この開放位置段階規制手段３０は、蓋体２０の天板２１の裏面に一体形成される一対の第１の突起３１，３１と、第１の突起３１，３１よりも長手方向中央側に形成された一対の第２の突起３２，３２（第２の突起３２，３２間の間隔は、第１の突起３１，３１間の間隔よりも狭い）（図３の（ａ）参照）、及び、収容体２の後壁５の突部５ａの内側上縁部によって構成されている。
【００２３】
そして、図５（ａ）の矢印方向に示すように、後述する閉鎖位置維持手段４０を構成する突起４１が後壁５を乗り越えるように蓋体２０を開放すべくスライドさせると、最初に第１の突起３１の停止壁３１ａが後壁５の突部５ａの内側上縁部に当て付いてスライド位置が第１の開放位置（図６参照）に規制される。この場合、停止壁３１ａは、更に、蓋体２０が第２の開放位置に向けてスライドできるように、垂直ではなく、多少、湾曲した形状に形成しておくことが好ましい。
【００２４】
その状態から第１の突起３１，３１が後壁５を乗り越えるように更に蓋体２０を開方向に矢印方向にスライドさせると、第２の突起３２，３２が後壁５の突部５ａの内側上縁部に当て付いてスライド位置が第２の開放位置（図７参照）に規制される。この場合、第２の突起３２，３２については、蓋体２０が収容体２から外れないように、垂直となる停止壁３２ａが形成されており、蓋体２０を、確実に第２の開放位置に停止させるようになっている。このように、本実施形態では、前記２つの開放位置に対応する所定の間隔だけスライド方向に隔てられる２組の突起３１，３２が蓋体２０の裏面に設けられており、これらの突起３１，３２のそれぞれが収容体２の所定の部位（後壁５の突部５ａの内側上縁部）に個別に突き当たることによって開放位置が２段階に規制されるようになっている。なお、本実施形態では、開放位置段階規制手段３０が開放位置を２段階に規制するが、３段階以上に規制しても良い。
【００２５】
なお、前記第１の突起３１には、蓋体２０を第２の開放位置から閉鎖位置にスライドさせた際（図５の矢印方向と反対方向）、後壁５を容易に乗り越えることができるように、前記停止壁３１ａと反対側は、緩い傾斜面（傾斜壁３１ｂ）となっている。
【００２６】
また、収容体２および蓋体２０には、蓋体２０を収容体２に対して閉方向にスライドした際、蓋体２０の閉鎖位置を維持する閉鎖位置維持手段４０が設けられている。この閉鎖位置維持手段４０は、開放位置段階規制手段３０（および、天板２１の後縁２１ｂ）に隣接して蓋体２０の天板２１の裏面に一体形成される一対の突起４１（図３の（ａ）および図５の（ａ）参照）と、収容体２の後壁５の突部５ａの内側上縁部とによって構成されている。この場合、一対の突起４１については、前記突起３１と同じ構成とすることができ、蓋体２０を閉鎖した際、突起４１の停止壁４１ａが後壁５の突部５ａの内側上縁部に当て付いて閉鎖位置が維持され、蓋体２０が簡単に開かないようになっている。なお、停止壁４１ａの反対側は、突起３１の傾斜壁３１ｂと同様、スライドされる蓋体２０が容易に後壁５を乗り越えられるように傾斜壁４１ｂとなっている。
【００２７】
前記収容体２内の収容物が多い場合、蓋体２０の閉鎖時の固定維持力が低下する可能性もあるが、上記した突起４１を一対設けておくことで、その固定維持力を高めることが可能となる。
【００２８】
また、本実施形態において、収容体２の底面６には、前記開放位置段階規制手段３０と協働し、開放位置段階規制手段３０による規制によって選択された開放位置で、その選択された開放位置に対応する個数の収容物の取り出しを取り出し開口領域８において可能にする取り出し個数選択手段が設けられている。
【００２９】
具体的に、本実施形態の取り出し個数選択手段は、上記したように、段階的に規制される第１および第２のそれぞれの開放位置で、収容物を個別に保持して待機させる待機保持部、具体的には、第１の待機保持部１２Ａおよび第２の待機保持部１２Ｂを有している（図４参照）。この場合、本実施形態の第１および第２の待機保持部１２Ａ，１２Ｂは、それぞれ、底面６から立ち上がるガイドリブ１２ａの対応する円弧状部によって形成されており、前記縦壁９ｂを兼ねる対向するガイドリブ１２ｂと協働して１つの収容物を個別に保持するようになっている。
【００３０】
そして、前記第１および第２の待機保持部１２Ａ，１２Ｂのそれぞれを形成する前記各円弧状部は、図６および図７から明らかなように、第１の開放位置および第２の開放位置へのそれぞれの蓋体２０のスライドによって外部に露出されるガイドリブ１２ａのそれぞれの部位に互いに隣り合って形成されており、そこに保持される収容物の外周面の円弧形状にほぼ対応している。つまり、本実施形態において、取り出し個数選択手段は、第１の開放位置（図６参照）で第１の待機保持部１２Ａに保持される１個の収容物の取り出しを可能にするとともに、第２の開放位置（図７参照）で第１および第２の待機保持部１２Ａ，１２Ｂに保持される合計２個の収容物の取り出しを可能にする。なお、待機保持部の数は、開放位置の規制段階数に応じて適宜設定されるものであり、２つに限定されることはなく、また、各待機保持部が保持する収容物の個数も１つに限定されることはない。
【００３１】
また、収容体２は、前記取り出し個数選択手段（第２の待機保持部１２Ｂ）に向けて収容物を案内する案内部を有している。具体的に、本実施形態において、この案内部は、ガイドリブ１２ａと一体に形成されるリブ１９によって形成することが可能である。
【００３２】
また、前記ガイドリブ１２ａには、第１および第２の待機保持部１２Ａ，１２Ｂを区画してそこに保持される収容物の移動を緩やかに規制する規制係止部が設けられている。具体的に、本実施形態の規制係止部は、案内部を形成するリブ１９と、第２の待機保持部１２Ｂの円弧状部との接続部に設けられて第２の待機保持部１２Ｂを収容部２Ａから区画する規制係止部１７ａと、第１の待機保持部１２Ａの円弧状部と第２の待機保持部１２Ｂの円弧状部との接続部に設けられて第１の待機保持部１２Ａを第２の待機保持部１２Ｂから区画する規制係止部１７ｂとによって構成されている。
【００３３】
各待機保持部１２Ａ，１２Ｂに保持される収容物Ｒ３，Ｒ２は、基本的に、これらの規制係止部１７ａ，１７ｂの係止作用に助けられることにより、図４の（ｂ）に二点鎖線で示されるように、第１および第２の待機保持部１２Ａ，１２Ｂから移動することはない。また、収容体２が例えば傾けられたときであっても、第２の待機保持部１２Ｂに保持される収容物Ｒ２は、図４の（ｂ）に破線で示される（Ｒ２’で示す）ように、収容体２の前壁４に突き当たって第１の待機保持部１２Ａに保持されている収容物Ｒ３に当たって保持され、一方、案内部を構成するリブ１９に沿って待機する収容物Ｒ１も、図４の（ｂ）に破線で示される（Ｒ１’で示す）ように、第２の待機保持部１２Ｂに保持される収容物Ｒ２’に当たって保持される。また、第１の待機保持部１２Ａ、又は第１の待機保持部１２Ａ及び第２の待機保持部１２Ｂから収容物が取り出された場合、第２の待機保持部１２Ｂ及びリブ１９に沿って待機している収容物は、収容体２を例えば傾けることにより、図４の（ｂ）に破線で示される経路を経て規制係止部１７ａ，１７ｂを乗り越え、隣り合う第１及び第２の待機保持部１２Ａ，１２Ｂへと移動できる。
【００３４】
また、本実施形態において、収容体２の両側壁３の表面には、開口領域側にフランジ３ｃを有する凹所３ｄが形成されている。この凹所３ｄは、蓋体２０をスライドさせる際、親指と人差し指の腹部を位置させる部分であり、この凹所３ｄを摘むことで、蓋体２０を容易にスライドできるようになっている。
【００３５】
このような凹所３ｄを形成しておくことで、指を凹所内に位置付けさせて、フランジ３ｃ部分によって、開口領域に存在している収容物に対する指の接触を抑制することが可能となり、衛生面での向上が図れるようになる。
【００３６】
上記構成のタブレットケース１によれば、収容物を取り出すべく、蓋体２０を収容体２に対して開方向にスライド移動し、開放位置段階規制手段３０による所定の開放位置で停止させると、取り出し開口領域８には、前記取り出し個数選択手段によってその開放位置に対応する個数の収容物を位置させておくことができる。すなわち、閉鎖位置維持手段４０の突起４１が後壁５を乗り越えるように蓋体２０を開放すべくスライドさせると、最初に第１の突起３１，３１が後壁５の突部５ａの内側上縁部に当て付いてスライド位置が第１の開放位置に規制される。その状態が図６に示されている。この状態では、第１の待機保持部１２Ａが外部に露出され、ここに保持される１つの収容物Ｒ３を取り出すことができる。一方、第１の突起３１，３１が後壁５を乗り越えるように、更に蓋体２０を開方向に大きくスライドさせた場合には、図７に示されるように、第２の突起３２，３２が後壁５の突部５ａの内側上縁部に当て付いてスライド位置が第２の開放位置に規制される。この第２の開放位置では、第１および第２の待機保持部１２Ａ，１２Ｂの両方が外部に露出され、第１および第２の待機保持部１２Ａ，１２Ｂに保持される合計２個の収容物Ｒ２，Ｒ３を取り出すことができる。なお、この第２の開放位置では、天板２１の前縁２１ａが仕切り９の横壁９ａと略一致するようになっており、依然として取り出し開口領域８のみが開放された状態となる。したがって、収容部２Ａに収容される収容物が一度にこぼれ落ちてくることはない。
【００３７】
以上、本発明の実施形態について説明したが、本発明は、上記した実施形態に限定されることはなく、種々変形することが可能である。例えば、取り出し個数選択手段を構成する待機保持部の構成（収容物を保持させる機能を有する構成）や、収容体と蓋体に形成される開放位置段階規制手段の構成等については適宜変形することが可能である。また、本実施形態では、収容体がカードタイプについて説明したが、収容体の高さ方向が高くなった構成であっても良い。
【図面の簡単な説明】
【００３８】
【図１】本発明に係るタブレットケースの一実施形態を示す図であり、全体構成を示す斜視図。
【図２】収容体の構成を示す図であって、（ａ）は平面図、（ｂ）は側面図、（ｃ）は背面図。
【図３】蓋体の構成を示す図であって、（ａ）は裏面図、（ｂ）は側面図、（ｃ）は背面図。
【図４】収容体に設けられた取り出し個数選択手段付近の要部拡大図であって、（ａ）は取り出し個数選択手段に収容物が存在しない状態の図、（ｂ）は取り出し個数選択手段に収容物が存在する状態の図。
【図５】（ａ）及び（ｂ）は、蓋体の裏面に形成される突起の形状を示す図。
【図６】第１の開放位置にあるタブレットケースを示す図であって、（ａ）は平面図、（ｂ）は側面図。
【図７】第２の開放位置にあるタブレットケースを示す図であって、（ａ）は平面図、（ｂ）は側面図。
【符号の説明】
【００３９】
１  タブレットケース
２  収容体
８  取り出し開口領域
９  仕切り
１２Ａ，１２Ｂ  第１、第２待機保持部（取り出し個数選択手段）
１９  リブ（案内部）
２０  蓋体
３０  開放位置段階規制手段
【図１】
2010143610.tif 000003
【図２】
2010143610.tif 000004
【図３】
2010143610.tif 000005
【図４】
2010143610.tif 000006
【図５】
2010143610.tif 000007
【図６】
2010143610.tif 000008
【図７】
2010143610.tif 000009